(57)【特許請求の範囲】
【請求項１】
撮影機構を備え予めフイルムが組み込まれたユニット本体の表面に、裏面に粘着剤が塗布された帯状の外装ラベルをその一端側が他端側と重なるように巻いて貼り付けたレンズ付きフイルムユニットにおいて、
前記外装ラベルに、一方の側縁から他方の側縁に達するように幅方向に延びたミシン目を形成するとともに、前記ユニット本体の表面に、前記ミシン目の近傍でかつ前記外装ラベルの一方の側縁が通る部分に位置して前記外装ラベルから部分的に露出される第１凹部と、前記ミシン目が通る部分に位置して前記外装ラベルで覆われる第２凹部とを形成したことを特徴とするレンズ付きフイルムユニット。
【請求項２】
前記ミシン目は、外装ラベルの一端側と他端側との重ね合わせ部分の境界に形成されていることを特徴とする請求項１記載のレンズ付きフイルムユニット。
【請求項３】
前記ユニット本体は直方体形状であって、前記ミシン目は、前記ユニット本体の隣接する２面間のエッジ部に沿うように形成され、前記第２凹部は前記ミシン目のほぼ中央に位置する部分に形成されていることを特徴とする請求項１または２記載のレンズ付きフイルムユニット。
【発明の詳細な説明】
【０００１】
【発明の属する技術分野】
本発明は、ユニット本体の表面にシート状の外装ラベルを粘着固定して覆ったレンズ付きフイルムユニットに関するものである。
【０００２】
【従来の技術】
「写ルンですＨｉ」，「写ルンですフラッシュ」（商品名）等のレンズ付きフイルムユニットは、簡単な撮影機能を備え写真フイルムパトローネを内蔵したユニット本体と、その表面を覆う外装用の紙箱とから構成されている。レンズ付きフイルムユニットは、撮影が終了すると、そのままの状態で現像所に提出される。現像所では、露光済みのフイルムを取り出して、現像プリント処理を行う。フイルムが抜き取られたレンズ付きフイルムユニットはメーカーが回収し、ユニット本体から紙箱を分離し、ユニット本体を複数の部品に分解して各々の検査を行い、合格品はそのまま部品として再使用し、不合格品は破砕，溶融して原材料として再使用される。
【０００３】
ところで、レンズ付きフイルムユニットに用いられる外装体として、上述のように略直方体の箱形に折り曲げて、ユニット本体の表面を全体的に覆うようにした紙箱の他に、裏面に粘着剤を塗布し、ユニット本体の中央部分に帯状に巻きつけて、その両端部を糊付け等によって貼り付けたシート状の外装ラベルを用いたものがある。このような帯状の外装ラベルを用いると、箱形に折り曲げてユニット本体の表面の全体を覆う従来のものに比べて低コストであり、包装工程の高速化を図ることができる。
【０００４】
【発明が解決しようとする課題】
上述したものでは、ユニット本体の再使用のために外装ラベルはユニット本体から分離される。外装ラベルはその側縁に引き剥がし用工具や爪等を引っ掛かけることで引き剥がすことができる。しかし、外装ラベルは薄いために引き剥がし用工具や爪等が引っ掛かりにくく、引き剥がしにくいといった問題があった。外装ラベルの引き剥がし特性が低いため、外装ラベルの引き剥がしの自動化を高効率で行うのは困難であった。
【０００５】
本発明は上述した従来技術のもつ欠点を解決するためになされたもので、ユニット本体から外装ラベルを簡単に剥がすことができるようにしたレンズ付きフイルムユニットを提供することを目的とするものである。
【０００６】
【課題を解決するための手段】
上記目的を達成するにあたり、本発明では、外装ラベルに、一方の側縁から他方の側縁に達するように幅方向に延びたミシン目を形成するとともに、ユニット本体の表面に、ミシン目の近傍でかつ外装ラベルの一方の側縁が通る部分に位置して外装ラベルから部分的に露出される第１凹部と、ミシン目が通る部分に位置して前記外装ラベルで覆われる第２凹部とを形成するようにしたものである。請求項２においては、ミシン目は、外装ラベルの一端側と他端側との重ね合わせ部分の境界に形成されているものである。請求項３においては、ユニット本体は直方体形状であって、ミシン目は、ユニット本体の隣接する２面間のエッジ部に沿うように形成され、第２凹部はミシン目のほぼ中央に位置する部分に形成されているものである。
【０００７】
工具を第１凹部に差し込んでミシン目を破断して第２凹部を露呈した後、第２凹部に工具を差し込むことによって、外装ラベルをユニット本体から引き剥がすようにしたものである。
【０００８】
【発明の実施の形態】
以下、本発明の実施の形態を説明する。本発明を用いたレンズ付きフイルムユニットの前面側斜視図を示す図３において、レンズ付きフイルムユニット２は撮影機構を備え予めフイルムが組み込まれたユニット本体３と、裏面の前面に粘着剤が塗布された帯状の外装ラベル４とから構成されている。このユニット本体３は全体的に直方体形状をしている。外装ラベル４は、ユニット本体３の中央部を帯状に一周取り囲み、外装ラベル４の裏面の全面に塗布された粘着剤によって貼り付けられている。
【０００９】
ユニット本体３の前面左側には、パトローネを収納するためのパトローネ収納室に応じて隆起部７が形成されている。前面右側には、ストロボ発光部５とストロボの充電を開始させるストロボ充電開始ボタン６とが設けられている。ユニット本体３の前面にはシャッタ機構や撮影レンズ８を組み込んだ部分を突出した隆起部９とファインダ窓１０とが設けられ、上面にはシャッタボタン１２が一体に設けられるとともに、カウンタ窓１３が形成されている。隆起部９，ファインダ窓１０等は外装ラベル４の各部に設けた開口から外部に露呈している。
【００１０】
図１は、図３で示したレンズ付きフイルムユニットの底面側斜視図を示すもので、外装ラベル４を２点鎖線で示している。外装ラベル４の両端部に設けた重ね代２０と底面カバー部２１はユニット本体３の底面で互いに重ねて貼り付けられている。ユニット本体２の底面の両側には、ロール状の写真フイルムを収納したフイルム室の蓋１６とパトローネ収納室の蓋１７とが一体に設けられている。これらの蓋１６，１７は外装ラベル４によって一部覆われているので、不用意に開くのが防止されている。
【００１１】
外装ラベル４には、ユニット本体３を背面から覆う背面カバー部１９と重ね代２０との境界にラベル剥離用のミシン目２６が設けられている。このミシン目２６は外装ラベル４に、一方の側縁４ａから他方の側端４ｂに達するように幅方向に延びて形成されている。外装ラベル４は、ユニット本体３の背面と底面の間のエッジ部２４に沿って形成されて、重ね代２０と背面カバー部１９との境界で破断するようになっている。
【００１２】
ユニット本体３の背面の端縁部には、外装ラベル４のミシン目２６が交差する位置の近傍で、外装ラベルの一方の側縁４ａから部分的に露出されるラベル剥離用の第１凹部２５が形成されている。第１凹部２５は、側縁４ａに直交する方向で湾曲した円筒状の底面２５ａを形成している。
【００１３】
エッジ部２４のほぼ中央にはミシン目２６が通る位置にラベル剥離用の第２凹部２７が形成されている。第２凹部２７は外装ラベル４によって完全に覆われている。この第２凹部２７にはユニット本体３の背面と底面との間に、ミシン目２６と直交する方向で深さが漸減する傾斜した底面２７ａが構成されている。第１凹部２５と第２凹部２７は射出成形によって、ユニット本体３の背面を構成する後カバーと一体に形成されるものである。なお、外装ラベル４の端部には蓋１７とそうでない部分との隙間に沿ってミシン目２８が形成されており、パトローネ取出し時に蓋１７を開けることで破かれる。
【００１４】
上記構成の作用を図２を参照しながら以下に説明する。ユニット本体３から外装ラベル４を分離するには、図１に示すように先端部が棒状をした工具３０が用いられる。まず工具３０を第１凹部２５に差し込んでその底面２５ａに沿って外装ラベル４の内側に移動してゆく。工具３０の先端３０ａがユニット本体３の背面と外装ラベル４との間にスムーズに入り込み、外装ラベル４の背面カバー部１９がユニット本体３の背面から引き剥がされる。このときに外装ラベル４は引っ張られるため、その張力でミシン目２６が破られて第２凹部２７が外部に露呈する。次に、工具３０を第２凹部２７に差し込み、その斜面２７ａに沿ってユニット本体３の底面側に移動して、工具３０の先端で外装ラベル４の底面カバー部２１をユニット本体３の底面から引き剥がすようにして、ユニット本体３から外装ラベル４を簡単に引き剥がすことができ、優れた自動化適性を得ることができる。
【００１５】
なお、前述した実施形態では外装ラベルがユニット本体のエッジ部から剥離されるようにミシン目及び第１，第２凹部を形成しているが、この部分に限られるものではない。例えば外装ラベルがユニット本体の背面や底面から剥離されるように、ミシン目及び第１，第２凹部を背面や底面の適当な位置に設けてもよい。また、第１，第２凹部を長溝状に形成して、その溝に沿って工具を移動するようにしてもよい。
【００１６】
【発明の効果】
以上のように、本発明によれば、外装ラベルに、一方の側縁から他方の側縁に達するように幅方向に延びたミシン目を形成するとともに、ユニット本体の表面に、ミシン目の近傍でかつ外装ラベルの一方の側縁が通る部分に位置して外装ラベルから部分的に露出される第１凹部と、ミシン目が通る部分に位置して前記外装ラベルで覆われる第２凹部とを形成するようにしたから、工具を第１凹部に差し込んでミシン目を破断して第２凹部を露呈した後、第２凹部に工具を差し込むことによって、外装ラベルをユニット本体から簡単に引き剥がすことができる。
【図面の簡単な説明】
【図１】レンズ付きフイルムユニットの底面側斜視図を示すものである。
【図２】外装ラベルをユニット本体から剥離する様子を示す説明図である。
【図３】レンズ付きフイルムユニットの前面側斜視図を示すものである。
【符号の説明】
２  レンズ付きフイルムユニット
３  ユニット本体
４  外装ラベル
２５  第１凹部
２５ａ  底面
２６  ミシン目
２７  第２凹部
２７ａ  底面
【図１】
0003738074.tif 000002
【図２】
0003738074.tif 000003
【図３】
0003738074.tif 000004